(57)【要約】【課題】  ガンマ補正処理において、低輝度部の階調性を損なわずに、コントラストを上げる。【解決手段】  ガンマ補正装置であって、ガンマ補正の種類を設定する操作回路（９）と、設定されたガンマ補正の種類に基づいて、ガンマ補正データ及び露出の目標値を選択する選択手段（７）と、選択されたガンマ補正データを用いてガンマ補正を行うガンマ補正回路（２１）と、選択された露出の目標値となるように、露出制御する露出制御手段（７）とを有し、ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、第２の目標値は第１の目標値よりも高く、第２のガンマ補正データは、予め設定された低輝度側の入力範囲において、第１のガンマ補正データと同じデータを有し、それ以外の入力範囲において第１のガンマ補正データに、第１の目標値を第２の目標値で除した値を乗じたデータを有する。【選択図】  図１
2009207011.tif 000002
【特許請求の範囲】
【請求項１】
撮像手段から得られた画像データをガンマ補正するガンマ補正装置であって、
ガンマ補正の種類を設定する設定手段と、
前記設定手段により設定されたガンマ補正の種類に基づいて、ガンマ補正データ及び露出の目標値を選択する選択手段と、
前記選択手段によって選択されたガンマ補正データを用いてガンマ補正を行うガンマ補正手段と、
前記選択手段によって選択された露出の目標値となるように、露出制御する露出制御手段とを有し、
前記ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、前記第２の目標値は前記第１の目標値よりも高く、前記第２のガンマ補正データは、予め設定された低輝度側の入力範囲において、前記第１のガンマ補正データと同じデータを有し、それ以外の入力範囲において前記第１のガンマ補正データに、前記第１の目標値を前記第２の目標値で除した値を乗じたデータを有することを特徴とするガンマ補正装置。
【請求項２】
撮像手段から得られた画像データをガンマ補正するガンマ補正装置であって、
ガンマ補正の種類を設定する設定手段と、
前記設定手段により設定されたガンマ補正の種類に基づいて、ガンマ補正データ及び露出の目標値を選択する選択手段と、
前記選択手段によって選択されたガンマ補正データを用いてガンマ補正を行うガンマ補正手段と、
前記選択手段によって選択された露出の目標値となるように、露出制御する露出制御手段とを有し、
前記ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、前記第２の目標値は前記第１の目標値よりも高く、前記第２のガンマ補正データは、予め設定された低輝度側の入力範囲において、入力と出力の傾きが１であり、それ以外の入力範囲において前記第１のガンマ補正データに、前記第１の目標値を前記第２の目標値で除した値を乗じたデータを有することを特徴とするガンマ補正装置。
【請求項３】
前記第２のガンマ補正データにおいて、前記低輝度側の入力範囲と、それ以外の入力範囲のデータを１次直線または２次以上の曲線でつないだことを特徴とする請求項１または２に記載のガンマ補正装置。
【請求項４】
前記第２のガンマ補正データにおいて、前記低輝度側の入力範囲と、それ以外の入力範囲のデータを指数関数でつないだことを特徴とする請求項１または２に記載のガンマ補正装置。
【請求項５】
請求項１乃至４のいずれか１項に記載のガンマ補正装置を有することを特徴とする撮像装置。
【請求項６】
撮像手段から得られた画像データをガンマ補正するガンマ補正方法であって、
ガンマ補正の種類を設定する設定工程と、
前記設定工程で設定されたガンマ補正の種類に基づいて、ガンマ補正データ及び露出の目標値を選択する選択工程と、
前記選択工程で選択されたガンマ補正データを用いてガンマ補正を行うガンマ補正工程と、
前記選択工程で選択された露出の目標値となるように、露出制御する露出制御工程とを有し、
前記ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、前記第２の目標値は前記第１の目標値よりも高く、前記第２のガンマ補正データは、予め設定された低輝度側の入力範囲において、前記第１のガンマ補正データと同じデータを有し、それ以外の入力範囲において前記第１のガンマ補正データに、前記第１の目標値を前記第２の目標値で除した値を乗じたデータを有することを特徴とするガンマ補正方法。
【請求項７】
撮像手段から得られた画像データをガンマ補正するガンマ補正方法であって、
ガンマ補正の種類を設定する設定工程と、
前記設定工程で設定されたガンマ補正の種類に基づいて、ガンマ補正データ及び露出の目標値を選択する選択工程と、
前記選択工程で選択されたガンマ補正データを用いてガンマ補正を行うガンマ補正工程と、
前記選択工程で選択された露出の目標値となるように、露出制御する露出制御工程とを有し、
前記ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、前記第２の目標値は前記第１の目標値よりも高く、前記第２のガンマ補正データは、予め設定された低輝度側の入力範囲において、入力と出力の傾きが１であり、それ以外の入力範囲において前記第１のガンマ補正データに、前記第１の目標値を前記第２の目標値で除した値を乗じたデータを有することを特徴とするガンマ補正方法。
【請求項８】
前記第１のガンマ補正データと、前記第１の目標値と、前記第２の目標値とに基づいて、前記第２のガンマ補正データを生成する生成工程を更に有することを特徴とするガンマ補正方法。
【請求項９】
コンピュータに、請求項６乃至８のいずれか１項に記載のガンマ補正方法の各工程を実行させるためのプログラム。
【請求項１０】
請求項９に記載のプログラムを格納したことを特徴とするコンピュータが読み取り可能な記憶媒体。
【発明の詳細な説明】
【技術分野】
【０００１】
本発明は、ガンマ補正装置及び方法、及び撮像装置に関し、特に、低輝度部のコントラストを変換することが可能なガンマ補正装置及び方法、及び撮像装置に関する。
【背景技術】
【０００２】
近年、ＣＣＤ等の撮像素子を用いたデジタルビデオカメラ等の撮像装置が普及している。撮像装置で撮影された映像はモニタ等の画像出力装置で出力される。出力装置はガンマ特性（入力信号―出力信号特性）を持ち、ＣＲＴディスプレイでは、その値は一般的にガンマ値２.２である。撮像装置と出力装置からなるシステム全体の特性がガンマ値１である必要があるため、撮像装置で０.４５（＝１／２．２）のガンマ補正を行っている。
【０００３】
デジタルビデオカメラからの動画の出力、０［ＩＲＥ］から１００［ＩＲＥ］は２１９［ＬＳＢ］で表現される。１１２５／６０方式のスタジオ規格（ＢＴＡ Ｓ‐００１ Ｂ）では、Ｖを出力時の映像信号［ＩＲＥ］、Ｌを映像信号Ｖにより発する再生時の光（最大輝度を１）とした場合の、１０８０システムのガンマ補正を以下の通り定めている。
１≧Ｌ≧０．０１８では、Ｖ＝１．０９９Ｌ０．４５−０．０９９
０．０１８＞Ｌ≧０では、Ｖ＝４．５００Ｌ
【０００４】
この１１２５／６０方式のスタジオ規格のガンマ補正曲線は、低輝度部の４.５が最大の傾きである。
ここで、入力をｘ［ＬＳＢ］、出力をｙ［ＬＳＢ］とする。この場合、上述したように１００［ＩＲＥ］が２１９［ＬＳＢ］であるため、映像信号Ｖはｙ／２１９［ＩＲＥ］に相当する。また入力１００％がＡ［ＬＳＢ］だとすると、Ｌはｘ／Ａ［ＩＲＥ］に相当する。これらを上述のＬが１.８［％］未満の式に代入すると、ｙ／２１９＝４．５ｘ／Ａとなる。
【０００５】
ここで階調について考える。ｙがｘより大きくなると入力信号より出力信号が多くなるため、入力信号が生じない出力信号が生じる可能性がある。従ってｙ／ｘは１以下である必要がある。つまりこのガンマ補正曲線では、４．５×２１９／Ａは１以下である必要がある。従って、Ａは９８５．５（＝２１９×４．５）ＬＳＢ以上である必要がある。ここで、ダイナミックレンジを２００％程度にしたいとすると、入力に１９７１（＝９８５.５×２００／１００）ＬＳＢ必要である。従ってこのガンマ補正曲線を描くには入力として１１ｂｉｔ以上必要である。
【０００６】
一方、最適な映像を撮影するために、使用者の好みや撮影する条件に応じて、一部の輝度領域のコントラストを変更できる機能を持つ撮像装置が普及してきている（例えば、特許文献１参照）。この機能を使うと、低輝度部のコントラストを高くしたり、暗部の階調性を良くしたり、高輝度部のコントラストを上げて白とびを緩和したりすることができる。ただし、コントラストを上げた領域以外では逆にコントラストは低減する。このコントラストの変更の多くはガンマ補正曲線の一部または全てを変更することにより実現している。
【０００７】
【特許文献１】特開２００３−２８３９５４号公報
【発明の開示】
【発明が解決しようとする課題】
【０００８】
上述したように、仮に、ダイナミックレンジが２００％で、入力が１１ｂｉｔであるとすると、規格のガンマ補正曲線の低輝度部の傾きは０．９６２（＝２１９×４．５×２／２０４８）となる。この状況で低輝度部のコントラストを上げようとしてガンマ補正曲線の低輝度部の傾きを上げると、低輝度部の傾きは１を超えてしまう。そうすると上述したように、入力信号の存在しない出力信号が生じてしまうため、階調性は損なわれてしまう。
【０００９】
このように、従来の方法ではコントラストは高くなるが階調性が失われるか、あるいは思ったようにコントラストを上げることができないといった制限が生じる。
【００１０】
またコントラストを上げたことにより低輝度部分が標準のガンマ補正曲線よりもゲインのかかる状態となるため、ＳＮ比の劣化も生じてしまう。
【００１１】
本発明は上記問題点を鑑みてなされたものであり、ガンマ補正処理において、低輝度部の階調性を損なわずに、コントラストを上げることを目的とする。
【課題を解決するための手段】
【００１２】
上記目的を達成するために、撮像手段から得られた画像データをガンマ補正する本発明尾ガンマ補正装置は、ガンマ補正の種類を設定する設定手段と、前記設定手段により設定されたガンマ補正の種類に基づいて、ガンマ補正データ及び露出の目標値を選択する選択手段と、前記選択手段によって選択されたガンマ補正データを用いてガンマ補正を行うガンマ補正手段と、前記選択手段によって選択された露出の目標値となるように、露出制御する露出制御手段とを有し、前記ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、前記第２の目標値は前記第１の目標値よりも高く、前記第２のガンマ補正データは、予め設定された低輝度側の入力範囲において、前記第１のガンマ補正データと同じデータを有し、それ以外の入力範囲において前記第１のガンマ補正データに、前記第１の目標値を前記第２の目標値で除した値を乗じたデータを有する。
【００１３】
また、撮像手段から得られた画像データをガンマ補正する本発明のガンマ補正方法は、ガンマ補正の種類を設定する設定工程と、前記設定工程で設定されたガンマ補正の種類に基づいて、ガンマ補正データ及び露出の目標値を選択する選択工程と、前記選択工程で選択されたガンマ補正データを用いてガンマ補正を行うガンマ補正工程と、前記選択工程で選択された露出の目標値となるように、露出制御する露出制御工程とを有し、前記ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、前記第２の目標値は前記第１の目標値よりも高く、前記第２のガンマ補正データは、予め設定された低輝度側の入力範囲において、前記第１のガンマ補正データと同じデータを有し、それ以外の入力範囲において前記第１のガンマ補正データに、前記第１の目標値を前記第２の目標値で除した値を乗じたデータを有することを特徴とするガンマ補正方法。
【００１４】
また、別の構成によれば、撮像手段から得られた画像データをガンマ補正する本発明のガンマ補正装置は、ガンマ補正の種類を設定する設定手段と、前記設定手段により設定されたガンマ補正の種類に基づいて、ガンマ補正データ及び露出の目標値を選択する選択手段と、前記選択手段によって選択されたガンマ補正データを用いてガンマ補正を行うガンマ補正手段と、前記選択手段によって選択された露出の目標値となるように、露出制御する露出制御手段とを有し、前記ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、前記第２の目標値は前記第１の目標値よりも高く、前記第２のガンマ補正データは、予め設定された低輝度側の入力範囲において、入力と出力の傾きが１であり、それ以外の入力範囲において前記第１のガンマ補正データに、前記第１の目標値を前記第２の目標値で除した値を乗じたデータを有する。
【００１５】
撮像手段から得られた画像データをガンマ補正する本発明のガンマ補正方法は、ガンマ補正の種類を設定する設定工程と、前記設定工程で設定されたガンマ補正の種類に基づいて、ガンマ補正データ及び露出の目標値を選択する選択工程と、前記選択工程で選択されたガンマ補正データを用いてガンマ補正を行うガンマ補正工程と、前記選択工程で選択された露出の目標値となるように、露出制御する露出制御工程とを有し、前記ガンマ補正データ及び露出の目標値は、少なくとも、標準の第１のガンマ補正データ及び露出の第１の目標値と、低輝度部のコントラストを向上するための第２のガンマ補正データ及び露出の第２の目標値とを含み、前記第２の目標値は前記第１の目標値よりも高く、前記第２のガンマ補正データは、予め設定された低輝度側の入力範囲において、入力と出力の傾きが１であり、それ以外の入力範囲において前記第１のガンマ補正データに、前記第１の目標値を前記第２の目標値で除した値を乗じたデータを有する。
【００１６】
また、本発明の撮像装置は、上記いずれかのガンマ補正装置を有する。
【発明の効果】
【００１７】
本発明によれば、ガンマ補正処理において、低輝度部の階調性を損なわずに、コントラストを上げることができる。
【発明を実施するための最良の形態】
【００１８】
以下、添付図面を参照して本発明を実施するための最良の形態を詳細に説明する。
【００１９】
＜第１の実施形態＞
図１は、本第１の実施形態における撮像装置の概略構成を示すブロック図である。撮像部１で光電変換されたカメラ出力信号は、ＣＤＳ・ＡＤ変換回路２を経て、デジタルカメラ信号処理回路３に送られる。デジタルカメラ信号処理回路３で信号処理されたデジタルカメラ信号の内、静止画用の静止画データは、例えば半導体記憶装置で構成される静止画用記録媒体４に記録される。一方、動画像データはデジタルビデオ信号処理回路５により信号処理された後、例えば、半導体メモリや記録可能なＤＶＤディスク等の動画用記録媒体６に記録される。
【００２０】
７はＣＰＵであり、メモリ８に記憶されているアプリケーションプログラムに従って、撮像装置内の各種の動作を制御する。それらの動作は、ユーザが操作する操作回路９から入力される各種操作信号に従って実行される。
【００２１】
ユーザが操作回路９により、例えば、標準、低輝度のコントラスト向上、高輝度のコントラスト向上といった、ガンマ補正の種類を選択すると、操作回路９は選択されたガンマ補正の種類を示す信号をＣＰＵ７に送る。ＣＰＵ７は送られてきた信号に応じて、メモリ８に格納されているガンマ補正曲線のデータ（ガンマ補正データ）を選択し、選択したデータをデジタルカメラ信号処理回路３に送る。デジタルカメラ信号処理回路３は、ガンマ補正回路３１において、選択されたガンマ補正曲線に従いガンマ補正を行う。同時にＣＰＵ７は選択されたガンマ補正曲線に対応した露出（ＡＥ）の目標値を選び、デジタルカメラ信号処理回路３で得られた検波値と選択された目標値を基にして、アイリス、シャッター、ゲインなどの値をＣＰＵ７で決定する。そして、決定した値を各構成部分に送ることにより露出制御する。
【００２２】
図２に標準のガンマ補正曲線（実線）と、低輝度部のコントラストを上げるためのガンマ補正曲線（点線）を示す。また、それぞれのガンマ補正曲線におけるＡＥの目標値１、２（第１の目標値、第２の目標値）も示してある。
【００２３】
ここでは、入力１１ｂｉｔ、出力８ｂｉｔ（１００ＩＲＥは２１９ＬＳＢに相当）、ダイナミックレンジを２００％とし、１１２５／６０方式のスタジオ規格の１０８０システムに基づいているものとする。標準のガンマ補正曲線における低輝度部の傾き、すなわち出力（ＬＳＢ）／入力（ＬＳＢ）はこの条件では、上述のように約０．９６２となる。ここで、低輝度部のコントラストを上げるためのガンマ補正曲線における、低輝度部の傾きが標準のガンマ補正曲線の１．２倍あるとする。従来の方法では傾きを１．２倍すると、低輝度部では上述した低輝度部の傾き０．９６２を１．２倍するので、傾きが１を超えてしまう。すると低輝度の部分に入力信号が無い出力値が生成され、階調が損なわれてしまう可能性が生じる。
【００２４】
そこで、本第１の実施形態では、低輝度部のコントラストを上げるためのガンマ補正曲線では、低輝度部の傾きを標準のガンマ補正曲線と同様にする。その上でＡＥの目標値２をＡＥの目標値１の１．２倍とし、低輝度部以外の部分は標準のガンマ補正曲線の入力を１．２倍にした曲線を描く。ただし、入力は２つのガンマ補正曲線で同じであるため、標準のガンマ補正曲線の入力の５／６を描き、入力を１．２倍した曲線となる。このようにすれば低輝度部の傾きは変化しない。この補正曲線を描く際に低輝度部とそれ以外の範囲の曲線は交わりを持たない。そのため、低輝度部とそれ以外の範囲の曲線を、例えば１次直線、２次以上の曲線、または指数関数などでつなぐ必要がある。
【００２５】
図２の比較はＡＥが同じ状態のときを示している。同じ被写体を撮影した際には目標値が異なるためアイリスやシャッター、ゲインなどが異なる。目標値が１．２倍であるので同じ輝度の被写体を撮影しても１．２倍の明るさとなる。
【００２６】
そこで目標値を考慮した２つのガンマ補正曲線の比較を図３に示す。この図は入射光に対する出力信号を示している。実線が標準のガンマ補正曲線（第１のガンマ補正データ）で点線が低輝度部のコントラストを上げるためのガンマ補正曲線（第２のガンマ補正データ）である。低輝度部の傾きは２つのガンマ補正曲線で同様としているため、ＡＥの目標値２がＡＥの目標値１を１．２倍した分だけ低輝度部のコントラストを上げるためのガンマ補正曲線の方が傾きが大きくなっている。その他の部分はＡＥの目標値の比（つまり、目標値２を目標値１で除した値）だけ入力を乗じているため、２つのガンマ補正曲線は重なる。
【００２７】
上記の通り、本第１の実施形態によれば、上述したようにして作成した低輝度部のコントラストを上げるためのガンマ補正曲線を用いることにより、ガンマ補正曲線の低輝度部の傾きを変化させることなく、低輝度部のコントラストを上げることができる。
【００２８】
＜第２の実施形態＞
次に、本発明の第２の実施形態について説明する。
【００２９】
上述した第１の実施形態の方法では、図３に示すダイナミックレンジ３０１、３０２を比較すると分かるように、低輝度部のコントラストを上げると、ガンマ補正曲線の低輝度部の傾きを大きくした割合だけダイナミックレンジが狭くなる。
【００３０】
そこで、本第２の実施形態では、低輝度部のコントラストを上げるためのガンマ補正曲線の低輝度部の傾き、すなわち出力（ＬＳＢ）／入力（ＬＳＢ）を１とする。この傾きまでは階調を損なうことはない。
【００３１】
以下、本第２の実施形態におけるガンマ補正曲線について説明するが、第１の実施形態と同じ条件で考える。図４に第２の実施形態における２つのガンマ補正曲線の関係を示す。低輝度部のコントラストを上げるためのガンマ補正曲線の低輝度部の傾きは１であり、標準のガンマ補正曲線より傾きが大きい。通常のガンマの傾きが０.９６２であるため、低輝度部の傾きを１．２倍するにはＡＥの目標値とガンマ補正曲線の入力を１.２×０.９６２倍すれば良い。
【００３２】
図５にＡＥの目標値を考慮した入射光に対する出力信号を示す。第１の実施形態と同様に、低輝度部のコントラストが上がっていることがわかる。第１の実施形態では低輝度部のコントラストを上げるためのガンマ補正曲線では通常のガンマ補正曲線に対して、ダイナミックレンジ３０２が約８３％（＝１／１.２）になった。これに対し、第２の実施形態ではダイナミックレンジ５０２が約８７％（＝１／１.２×０.９６２）になり、ダイナミックレンジの減少が低減される。（図５の入力ビットやダイナミックレンジ次第ではより大きな効果を示す。
【００３３】
上記のとおり、本第２の実施形態によれば、階調を損なうことなく低輝度部のコントラストを上げることができるとともに、ダイナミックレンジの低減を最低限に抑えることができる。
【００３４】
なお、上記第１及び第２の実施形態においては、低輝度部の傾きを１．２倍する場合について説明したが、本発明はこれに限るものではなく、１倍を超えていればよい。
【００３５】
また、複数のガンマ補正の種類に応じてガンマ補正曲線そのものをそれぞれメモリ８に記憶しておくようにしても、ガンマ補正曲線を生成するために必要なデータを記憶しておき、ガンマ補正回路３１にてガンマ補正曲線を生成するようにしても良い。
【００３６】
また、低輝度部は、１１２５／６０方式のスタジオ規格の１０８０システムに基づいている場合には、上述したように０．０１８＞Ｌ≧０の範囲を示す。他の規格に基づいている場合には、その規格に応じて、低輝度部のコントラストを強調した際に階調の悪化が懸念される範囲を、低輝度側の入力範囲として設定すればよい。
【００３７】
＜他の実施形態＞
なお、上記第１及び第２の実施形態では、撮像装置においてガンマ補正を行う場合について説明したが、本発明はこれに限るものではない。例えば、撮像装置がガンマ補正を行わずに撮影データ（ＲＡＷデータ）をそのまま出力し、ＲＡＷデータの出力を受けた装置において、上述したガンマ補正処理を行ってもよい。
【００３８】
その場合、本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【００３９】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【００４０】
【図１】本発明の第１の実施形態における撮像装置の概略構成を示すブロック図である。
【図２】本発明の第１の実施形態における通常のガンマと低輝度部のコントラストを上げるためのガンマ補正曲線を示す。
【図３】本発明の第１の実施形態における通常と低輝度部のコントラストを上げた状態での入射光に対する出力信号の特性を示す。
【図４】本発明の第２の実施形態における通常のガンマと低輝度部のコントラストを上げるためのガンマ補正曲線を示す。
【図５】本発明の第２の実施形態における通常と低輝度部のコントラストを上げた状態での入射光に対する出力信号の特性を示す。
【符号の説明】
【００４１】
１‥‥撮像部
２‥‥ＣＤＳ・Ａ／Ｄ変換回路
３‥‥デジタルカメラ信号処理回路
４‥‥静止画記録媒体
５‥‥ビデオ信号処理回路
６‥‥動画記録媒体
７‥‥ＣＰＵ
８‥‥メモリ
９‥‥操作回路
２１‥‥ガンマ補正回路
【図１】
2009207011.tif 000003
【図２】
2009207011.tif 000004
【図３】
2009207011.tif 000005
【図４】
2009207011.tif 000006
【図５】
2009207011.tif 000007